(57)【要約】【課題】特殊色の透過を考慮しないでプレビュー表示をする場合と比較して、特殊色を印刷する印刷物のプレビューを高品質に行うことができる表示装置、印刷システム及びプログラムを提供する。【解決手段】表示制御装置は、少なくとも１色の基本色に対する少なくとも１色の印刷すべき特殊色の情報を取得する取得手段と、前記取得手段により取得した特殊色の情報から得た透過度に応じた色値で特殊色が印刷される部分を表示するように制御する表示制御手段と、を有する。【選択図】図６
2019016102.tif 000002
【特許請求の範囲】
【請求項１】
少なくとも１色の基本色に対する少なくとも１色の印刷すべき特殊色の情報を取得する取得手段と、
前記取得手段により取得した特殊色の情報から得た透過度に応じた色値で特殊色が印刷される部分を表示するように制御する表示制御手段と、
を有する
表示装置。
【請求項２】
前記取得手段は、特殊色の濃度を取得する請求項１記載の表示装置。
【請求項３】
前記表示制御手段は、基本色に対する特殊色の配置情報に応じて特殊色の透過度を調整する請求項１又は２記載の表示装置。
【請求項４】
前記表示制御手段は、基本色に対して特殊色が前面に印刷される場合よりも基本色に対して特殊色が背面に印刷される場合の方が特殊色の透過度が小さくなるように調整する請求項３記載の表示装置。
【請求項５】
前記表示制御手段は、基本色に対して特殊色が背面に印刷される場合よりも基本色に対して特殊色が前面に印刷される場合の方が特殊色の透過度が大きくなるように調整する請求項３記載の表示装置。
【請求項６】
前記表示制御手段は、特殊色の色情報に応じて特殊色の透過度を調整する請求項１から５いずれか記載の表示装置。
【請求項７】
前記表示制御手段は、基本色のＣＭＹＫデータをＲＧＢデータに変換する基本色変換部と、特殊色のデータをＲＧＢデータに変換する特殊色変換部と、前記基本色変換部で変換された基本色のＲＧＢデータと前記特殊色変換部で変換されたＲＧＢデータとを特殊色の透過度を用いて合成する合成部と、を有する請求項１から６いずれか記載の表示装置。
【請求項８】
記録媒体に画像を印刷する印刷装置と、
前記印刷装置で印刷されるべき画像を表示する表示装置と、
を有し、
前記表示装置は、
少なくとも１色の基本色に対する少なくとも１色の印刷すべき特殊色の情報を取得する取得手段と、
前記取得手段により取得した特殊色の情報から得た透過度に応じた色値で特殊色が印刷される部分を表示するように制御する表示制御手段と、
を有する
印刷システム。
【請求項９】
少なくとも１色の基本色に対する少なくとも１色の印刷すべき特殊色の情報を取得するステップと、
取得した特殊色の情報から得た透過度に応じた色値で特殊色が印刷される部分を表示するように制御するステップと、
をコンピュータにより実行させるプログラム。
【発明の詳細な説明】
【技術分野】
【０００１】
本発明は、表示装置、印刷システム及びプログラムに関する。
【背景技術】
【０００２】
特許文献１は、印刷手段を用いて印刷される画像をプレビューする表示手段と、前記表示手段にプレビューされる画像に対して透明トナーを印刷する領域と、当該領域に載せる透明トナー量とを設定する設定手段と、前記設定手段により設定される前記領域と前記透明トナー量とを用いて、前記表示手段が表示する画像のプレビュー表示形態を変化させる制御手段とを備えることを特徴とする画像表示装置を開示する。
【０００３】
特許文献２は、プレビュー画像を表示可能な画像表示装置を備え、透明色材を用いた画像印刷が可能な画像形成装置において、透明色材で印刷される画像データと透明色材以外の色材で印刷される画像データを入力する画像データ入力手段と、前記画像データ入力手段から入力された画像データから、プレビュー画像を生成する画像生成手段と、を有し、前記画像生成手段は、前記透明色材で印刷される画像領域が前記透明色材以外の色材で印刷される画像領域に比べ強調表示する画像を生成することを特徴とする画像形成装置を開示する。
【０００４】
特許文献３は、接続する装置に格納された画像データを受信する受信手段と、前記受信手段により受信された画像データのうち、透明記録剤以外の記録剤を使用して印刷される第１の画像の位置にある前記透明記録剤を使用して印刷される第２の画像を、前記透明記録剤を使用して印刷される画像を表示するための特定色を用いて表示する表示手段とを有することを特徴とする表示装置を開示する。
【先行技術文献】
【特許文献】
【０００５】
【特許文献１】特開２０１２−１２６０２１号公報
【特許文献２】特開２０１１−０５９４４５号公報
【特許文献３】特開２０１２−１４５９４９号公報
【発明の概要】
【発明が解決しようとする課題】
【０００６】
ところで、透明色を含めた特殊色を基本色に加えて画像を形成する場合、特殊色の基本色に対する配置（特殊色の刷り順）、特殊色の色等により実際印刷される画像の色が変化するはずであるが、プレビュー画面では表現することができていない。
なお、基本色とは、印刷する上で基本となる色であり、ＹＭＣ或はＹＭＣＫである。また、特殊色とは、基本色以外の色であり、金、銀、透明、白、オレンジ等が含まれる。
また、プレビューとは、実際に印刷処理する前に、結果の画像を表示する機能をいう。
【０００７】
本発明は、特殊色の透過を考慮しないでプレビュー表示をする場合と比較して、特殊色を印刷する印刷物のプレビューを高品質に行うことができる表示装置、印刷システム及びプログラムを提供することを目的としている。
【課題を解決するための手段】
【０００８】
請求項１に係る本発明は、少なくとも１色の基本色に対する少なくとも１色の印刷すべき特殊色の情報を取得する取得手段と、前記取得手段により取得した特殊色の情報から得た透過度に応じた色値で特殊色が印刷される部分を表示するように制御する表示制御手段と、を有する表示装置である。
ここで、透過度とはアルファ値とも呼ばれ、デジタル画像において色情報とは別に、画素毎に設けられた透過の度合いを表す数値である。
【０００９】
請求項２に係る本発明は、前記取得手段は、特殊色の濃度を取得する請求項１記載の表示装置である。
なお、特殊色の濃度とは、特殊色を印刷する上での階調をいい、例えばゼログラフィにより印刷する場合はトナーの載り量である。
【００１０】
請求項３に係る本発明は、前記表示制御手段は、基本色に対する特殊色の配置情報に応じて特殊色の透過度を調整する請求項１又は２記載の表示装置である。
なお、ここで、「配置」とは、基本色に対する特殊色の刷り順である。
【００１１】
請求項４に係る本発明は、前記表示制御手段は、基本色に対して特殊色が前面に印刷される場合よりも基本色に対して特殊色が背面に印刷される場合の方が特殊色の透過度が小さくなるように調整する請求項３記載の表示装置である。
【００１２】
請求項５に係る本発明は、前記表示制御手段は、基本色に対して特殊色が背面に印刷される場合よりも基本色に対して特殊色が前面に印刷される場合の方が特殊色の透過度が大きくなるように調整する請求項３記載の表示装置である。
【００１３】
請求項６に係る本発明は、前記表示制御手段は、特殊色の色情報に応じて特殊色の透過度を調整する請求項１から５いずれか記載の表示装置である。
【００１４】
請求項７に係る本発明は、前記表示制御手段は、基本色のＣＭＹＫデータをＲＧＢデータに変換する基本色変換部と、特殊色のデータをＲＧＢデータに変換する特殊色変換部と、前記基本色変換部で変換された基本色のＲＧＢデータと前記特殊色変換部で変換されたＲＧＢデータとを特殊色の透過度を用いて合成する合成部と、を有する請求項１から６いずれか記載の表示装置である。
【００１５】
請求項８に係る本発明は、記録媒体に画像を印刷する印刷装置と、前記印刷装置で印刷されるべき画像を表示する表示装置と、を有し、前記表示装置は、少なくとも１色の基本色に対する少なくとも１色の印刷すべき特殊色の情報を取得する手段と、前記取得手段により取得した特殊色の情報から得た透過度に応じた色値で特殊色が印刷される部分を表示するように制御する表示制御手段と、を有する印刷システムである。
【００１６】
請求項９に係る本発明は、少なくとも１色の基本色に対する少なくとも１色の印刷すべき特殊色の情報を取得するステップと、取得した特殊色の情報から得た透過度に応じた色値で特殊色が印刷される部分を表示するように制御するステップと、をコンピュータにより実行させるプログラムである。
【発明の効果】
【００１７】
請求項１、８又は９のいずれかに係る本発明によれば、特殊色の透過を考慮しないでプレビュー表示をする場合と比較して、特殊色を印刷する印刷物のプレビューを高品質に行うことができる。
【００１８】
請求項２に係る本発明によれば、請求項１に係る本発明の効果に加えて、特殊色の濃度を反映させたプレビュー表示とすることができる。
【００１９】
請求項３に係る本発明によれば、請求項１又は２に係る本発明の効果に加えて、特殊色の配置を反映させたプレビュー表示とすることができる。
【００２０】
請求項４に係る本発明によれば、請求項３に係る本発明の効果に加えて、基本色に対して特殊色が背面に印刷される場合に特殊色の影響を小さくすることができる。
【００２１】
請求項５に係る本発明によれば、請求項３に係る本発明の効果に加えて、基本色に対して特殊色が前面に印刷される場合に特殊色の影響を大きくすることができる。
【００２２】
請求項６に係る本発明によれば、請求項１から５いずれかに係る発明の効果に加えて、特殊色の色情報を反映させたプレビュー表示とすることができる。
【００２３】
請求項７に係る本発明によれば、請求項１から６いずれかに係る本発明の効果に加えて、基本色と特殊色とをＲＧＢデータとして合成することができる。
【図面の簡単な説明】
【００２４】
【図１】本発明の実施形態に係る印刷システムの全体を示すシステム構成図である。
【図２】本発明の実施形態に係る画像形成装置を示す概略図である。
【図３】本発明の実施形態に係る画像形成装置における画像形成部を示す側面図である。
【図４】本発明の実施形態に用いたサーバの回路例を示すブロック図である。
【図５】本発明の第一の実施形態におけるサーバの機能を説明する機能構成図である。
【図６】本発明の第二の実施形態におけるサーバの機能を説明する機能構成図である。
【図７】本発明の第三の実施形態におけるサーバの機能を説明する機能構成図である。
【図８】本発明の実施形態における係数ｋの例を示す図表である。
【図９】本発明の実施形態において、特殊トナーの順番によって係数ｋが異なることを示す説明図であり、（ａ）は最前面に銀トナーが載る場合、（ｂ）は最背面に銀トナーが載る場合をそれぞれ示す。
【図１０】本発明の実施形態において、特殊トナーの色によって係数ｋが異なることを示す説明図であり、（ａ）は銀トナーが載る場合、（ｂ）は透明トナーが載る場合をそれぞれ示す。
【図１１】本発明の実施形態に係る表示装置の制御動作例を示すフローチャートである。
【発明を実施するための形態】
【００２５】
次に、本発明の実施の形態について図面を参照して詳細に説明する。
図１は、本発明の実施形態に係る印刷システム１０が示されている。
【００２６】
印刷システム１０は、サーバ１２、画像形成装置１４及び後処理装置１６を有し、これらがネットワークを介して接続されている。
【００２７】
サーバ１２は、画像形成すべき画像データを画像形成装置１４に供給すると共に、画像形成装置１４及び後処理装置１６を制御するようになっている。また、このサーバ１２には、表示装置１７が接続されている。
【００２８】
画像形成装置１４は、記録媒体供給部１８及び画像形成部２０を有する。
【００２９】
記録媒体供給部１８は、例えば記録媒体としてカット紙又は連続用紙を画像形成部２０に供給する。
【００３０】
画像形成部２０は、例えば図２に示された構造を有する。
即ち、画像形成部２０は、中間転写ベルト２２を備えている。中間転写ベルト２２の上方には、例えば６つの画像形成ユニット２４が設けられている。画像形成ユニット２４は、シアン、マゼンダ、イエロー及び黒の基本色の他、特殊色として、金、銀、透明、白、オレンジ等の中から選択されたトナーを用いて画像を形成するようになっている。特殊色は、図示しないトナー収容部を交換することによって色を選択できるようにしてある。
【００３１】
画像形成ユニット２４は、図３に示すように、例えばゼログラフィ方式であり、感光体ドラム２６と、この感光体ドラム２６の表面を一様に帯電する帯電手段としての帯電装置２８と、感光体ドラム２６上に形成された静電潜像を現像する現像装置３０と、クリーニング装置３２とから構成されている。感光体ドラム２６は、トナー像（現像剤像）を保持する円筒形状の画像保持体であり、帯電装置２８により一様に帯電され、光走査装置３４により照射されたレーザ光により静電潜像が形成される。感光体ドラム２６に形成された静電潜像は、現像装置３０によりトナーで現像される。中間転写ベルト２２を挟んで感光ドラム２６に対向した位置には一次転写ロール３６が設けられている。現像装置３０により現像されたトナー像は、一次転写ロール３６により中間転写ベルト２２に転写される。なお、トナー像の転写工程の後に感光体ドラム２６に付着している残留トナー及び紙粉等は、クリーニング装置３２によって除去される。
【００３２】
画像形成ユニット２４により中間転写ベルト２２に転写されたトナー像は、記録媒体供給部１８から供給された記録媒体に二次転写ロール３８により二次転写される。画像が転写された記録媒体は、定着ユニット４０に送られ、例えば熱と圧力とにより画像が定着される。このように画像が定着された記録媒体は、さらに冷却ユニット４２により冷却される。
【００３３】
前述したサーバ１２は、図４に示すように、ＣＰＵ４８、メモリ５０、ユーザインターフェイス５２及び通信インターフェイス５４を有し、これらが制御バス５６を介して接続されている。
【００３４】
ＣＰＵ４８は、メモリ５０に格納された制御プログラムに基づいて予め定められた処理を実行する。ユーザインターフェイス５２は、表示装置１７に接続されている。表示装置１７は、受信した印刷データから生成したプレビュー画面を表示する。
【００３５】
通信インターフェイス５４は、ネットワークに接続されたパーソナルコンピュータ等からの印刷データを受信して処理した画像データを画像形成装置１４へ送る。
【００３６】
図５は、第一の実施形態に係るサーバ１２の機能構成図である。
なお、各機能は、ソフトウエアによって実現してもよいし、一部又は全部をハードウエアによって実現してもよい。
【００３７】
中間データ生成部５８は、ＰＤＦやＰｏｓｔＳｃｒｉｐｔ等のページ記述言語（Ｐａｇｅ  Ｄｅｓｃｒｉｐｔｉｏｎ  Ｌａｎｇｕａｇｅ，ＰＤＬ）で記述された原稿及びパターン原稿を含む印刷要求を受け付けし、受付印刷データから中間データを生成する。
【００３８】
中間データ処理部６０は、中間データ生成部５８により生成された中間データをラスタ走査可能な出力用印刷データ（例えばビットマップデータ）に変換する。原稿からは、例えば２５６階調の基本色ＣＭＹＫデータ（ＣＭＹＫ版）が生成され、パターン原稿からは、例えば２５６階調の特殊トナーデータ（特殊トナー版）が生成される。
なお、中間データを経ずに原稿データ及びパターン原稿をラスタ―データに変換するようにしてもよい。
また、特殊トナー版は、中間データ処理部６０でラスタライズされたものを用いてもよいし、有色部判定によって生成される場合や、タグ版を元に生成される場合もある。
【００３９】
印刷実行部６２は、中間処理部６０でラスタライズされたＣＭＹＫ版及び特殊トナー版を画像形成装置１４に送り、画像形成装置１４で印刷されるようにする。
【００４０】
第一の変換部６４は、中間データ処理部６０からＣＭＹＫデータを受け取り、ＲＧＢデータに変換する。
なお、ＣＭＹＫデータからＲＧＢデータへの変換は、周知のようにルックアップテーブルを用いて行うことができる。
【００４１】
第二の変換部６６は、中間データ処理部６０から特殊トナーデータを受け取り、代替色としてのＲＧＢデータに変換する。ここで、特殊トナー版の階調に応じて代替色にも濃淡をつける。
例えば金トナーの場合は次のようになる。
Ｒ＝０ｘＢ８〜０ｘＦＦ（４８階調）
Ｇ＝０ｘ９Ａ〜０ｘＦＦ（６６階調）
Ｂ＝０ｘ３Ｅ〜０ｘＦＦ（１９３階調）
例えばＲはグレースケールから次のように計算される。
Ｒ＝０ｘ＋（０ｘＦＦ−０ｘＢ８）×（１−ＳＴグレー値／０ｘＦＦ）
なお、０ｘは１６進数であることを示し、ＳＴグレー値とはグレースケールでの階調値である。
なお、特殊トナーデータからＲＧＢデータへの変換は、周知のようにルックアップテーブルを用いて行うことができる。
【００４２】
トナー状態取得部６８は、画像形成装置１４からトナーの配置及び色情報を取得する。例えばトナーの配置及び色情報の取得は、前述したトナー収容部にはトナーを特定するＩＤ情報が埋め込まれ、このＩＤ情報を読み取ることによって行う。
【００４３】
合成部７０は、第一の変換部６４で変換した基本色ＲＧＢデータと第二の変換部６６で変換した特殊色ＲＧＢデータとを合成する。この合成に際してはトナー状態取得部で取得したトナーの配置及び色情報に応じて合成データを調整する。
【００４４】
ビットマップ変換部７２は、合成部７０で合成したＲＧＢデータをビットマップデータに変換し、前述した表示装置１７に表示する。
【００４５】
図６は、第二の実施形態に係るサーバ１２の機能構成図である。
この第二の実施形態は、第一の実施形態と比較すると、第一の実施形態においては、トナー情報取得部６８が画像形成装置１４から取得したのに対し、ユーザーがトナー状態を入力する点が異なる。この第二の実施形態では、ユーザーがトナー状態を入力するので、実際にトナーの入れ替えを実施しないでもどのような色になるかを表示装置１７に表示させる。
【００４６】
図７は、第三の実施形態に係るサーバ１２の機能構成図である。
この第三の実施形態は、第一及び第二の実施形態と比較すると、2色の特殊色がある点が異なる。
即ち、第一の特殊トナーデータ（第一の特殊トナー版）は、第二の変換部６６により代替色としてのＲＧＢデータに変換され、第二の特殊トナーデータ（第二の特殊トナー版）は、第三の変換部６７により代替色としてのＲＧＢに変換される。そして、トナー状態取得部６８から第一の特殊トナー版が最背面であるという情報を受け取ると、第一の合成部７４において、基本色のＲＧＢと第一の特殊色のＲＧＢとが合成される。さらにトナー状態取得部６８から第二の特殊トナー版が最前面であるという情報を受け取ると、第一の合成部７４で合成されたＲＧＢと第二の特殊色のＲＧＢとが第二の合成部７６において合成される。第二の合成部７６で合成されたビットマップ変換部７２でビットマップデータに変換され、表示装置１７に表示される。
【００４７】
次に合成部７０（第一の合成部７４及び第二の合成部７６も同様である。）ついて詳述する。
合成部７０における合成は、例えばアルファブレンドを用いる。アルファブレンドとは、α値を用いて複数の画像を合成する方法をいう。
アルファブレンドの一般式は次の通りである。
【数１】
2019016102.tif 000003
ここで、Ｃは合成後の色値、Ｃsrcは合成前の基本色の色値、Ｃdstは合成前の特殊色の色値である。
【００４８】
αは合成時の透過度を表すものであり、特殊トナーの載る量Ｇspによってα値が変わるものとする。特殊トナーの載る量Ｇspは、特殊色の階調（濃度）によって設定される。
α＝Ｇsp／２５５とすると合成後のＲＧＢ色(ＣR, ＣG, ＣB)は以下のようになる。
【数２】
2019016102.tif 000004
ここで、Ｃxは合成後の色値（０−２５５）、Ｃpr_xは基本色の色値（０−２５５）、Ｃsp_xは特殊色の色値（０−２５５）、Ｇspは特殊トナーの載る量（０−２５５）である。
さらにこの実施形態においては、特殊トナーの色やトナーの配置によって変わる係数ｋ（０−１）を掛けることによって色や配置の違いが再現されるようになっている。
α＝ｋ×Ｇｓｐ／２５５とすると合成後のＲＧＢ色（ＣR, ＣG, ＣB）は以下のようになる。
【数３】
2019016102.tif 000005
この係数ｋの例を図８に示す。
kは小さいほど特殊色の透過度が上がる。前面の場合、例えば金色をｋG＝０．９で、透明色をｋCL＝０．５とすればトナーの載る量が同じだとしても透明色の方が透過度が高くなり基本色が透けて見えることになる。
【００４９】
さらに具体例を示すと、次のようになる。
基本色のＲＧＢ値(Ｃpr_R，Ｃpr_G，Ｃpr_B)＝（５１,１５３，２５５）
金色のＲＧＢ値（Ｃsp_R，Ｃsp_G，Ｃsp_B）＝（２３０，１８０，３４）
金色トナーの載り量Ｇｓｐ＝２０４（最大値は２５５）
とすれば、最前面に金色トナーを載せた場合の合成色は、次のように計算される。
【数４】
2019016102.tif 000006
よって、合成後のＲＧＢ値（ＣR，ＣG，ＣB）＝（１８３，１４６，６１）となる。
一方、最背面に金色トナーを載せた場合は、合成後のＲＧＢ値（ＣR，ＣG，ＣB）＝（１０６，８９，３６）となる。
【００５０】
特殊色が２色ある場合は基本色と背面の特殊色とを合成した後、さらに前面の特殊色を合成する。
例えば最背面に金、最前面に銀、金と銀の間に基本色が配置された場合は次のようになる。
【数５】
2019016102.tif 000007
【数６】
2019016102.tif 000008
【００５１】
よって、合成後のＲＧＢ値（ＣR，ＣG，ＣB）＝（１４７，１４５，１４１）となる。
【００５２】
図９（a）には、最前面に銀トナーが載る場合のプレビュー表示が示されている。一方、図９（ｂ）には、最背面に銀トナーが乗る場合のプレビュー表示が示されている。銀トナーが載る量は同じであるが、最前面に銀トナーが載る場合よりも最背面に載る場合の方が係数ｋが小さいので、銀トナーの影響が少ないように表示されることがわかる。プリンターからトナー配置情報を得て、プロセスカラーとの位置関係によって係数ｋを変えている。ここではプリンターから得たトナーは位置情報で係数kが定まるようにしているが、ユーザーが特殊トナーの色や配置を指定することで合成時の係数ｋを変えるようにしてもよい。
【００５３】
図１０(ａ)には、最前面に銀トナーが載る場合のプレビュー表示が示されている。一方、図１０（ｂ）には、最前面に透明トナーが載る場合のプレビュー画面が示されている。それぞれのトナーが載る量は同じであるが、最前面に銀トナーが載る場合よりも透明トナーが載る場合の方が係数ｋが小さいので、特殊トナーの影響が少ないように表示されることがわかる。
【００５４】
図１１には、サーバ１２の機能がソフトウエアで実現される場合のフローが示されている。
【００５５】
まず、ステップ１０において、受け付けた原稿のＣＭＹＫ版をＲＧＢに変換する。次のステップＳ１２においては、同じく受け付けたパターン原稿の特殊トナー版をＲＧＢに変換する。ここでのＲＧＢは階調があってもよいし、２値であってもよい。後に用いるα値により濃淡を付けることができるためのである。また、前述したように、特殊トナー版は、受け付けたジョブよりラスタライズされたものであってもよいし、特殊トナー版の領域の性質（有色部、写真部等）から生成されるものであってもよい。
【００５６】
次のステップＳ１４においては、第一の実施形態及び第三の実施形態で示したように、画像形成装置１４からからの情報、又は第二の実施形態で示したように、ユーザーから入力された情報に含まれる特殊トナーの配置やトナーの色情報を取得する。
【００５７】
次のステップＳ１６においては、カウンターをｉ＝０に設定し、次のステップＳ１８へ進む。ステップＳ１８においては、ｉの数が特殊トナーの色数と等しくなったか否かを判定する。即ち、特殊トナーが1色であれば、ｉ＝１であり、特殊トナーが２色であれば、ｉ＝２となる。
【００５８】
ステップＳ２０において、ｉの数が特殊トナーの色数と等しくない場合はステップＳ２２に進む。ステップＳ２２においては、ステップＳ１４で取得した特殊トナーの配置や特殊トナーの色から係数ｋを決定する。係数ｋは、例えば前述した図８に示したように、予め設定されている。
【００５９】
次のステップＳ２４においては、基本色画像又は前回の合成画像と特殊トナー画像をＲＧＢ各色、座標ごとに合成していく。ここでは、背面の特殊トナー版から順に合成する。
【００６０】
ステップＳ２４の処理が終了すると、次のステップＳ２６においてiをインクリメントし、ステップＳ２０へ戻る。ステップＳ２おにおいて、ｉが特殊トナーの色数と等しいと判定されると、ステップＳ２８に進み、ビットマップ画像変換をして表示装置１７にプレビュー画面を表示し、処理を終了する。
【００６１】
なお、上記実施形態においては、ゼログラフィ技術を用いて印刷する場合について説明したが、他の印刷技術、例えばインクジェット技術に対しても適用できる。
【符号の説明】
【００６２】
１０    印刷システム
１２    サーバ
１４    画像形成装置
１７    表示装置
５８    中間データ生成部
６０    中間データ処理部
６２    印刷実行部
６４    第一の変換部
６６    第二の変換部
６８    トナー状態取得部
７０    合成部
【図１】
2019016102.tif 000009
【図２】
2019016102.tif 000010
【図３】
2019016102.tif 000011
【図４】
2019016102.tif 000012
【図５】
2019016102.tif 000013
【図６】
2019016102.tif 000014
【図７】
2019016102.tif 000015
【図８】
2019016102.tif 000016
【図９】
2019016102.tif 000017
【図１０】
2019016102.tif 000018
【図１１】
2019016102.tif 000019